(57)【要約】      （修正有）【課題】傾斜や凹凸がある面で使用できるように、マウスを空中に浮かせて使用する清掃用具付きの空中マウスフォルダを提供する。【解決手段】マウス１０が空中でも安定して動作するように、使用者の手や手首１１で指示する平面板１とマウスを収納するフォルダ５、および開口部４を備える。マウスを平面板上でで操作することによって、手を空中に浮かべることができ、マウスの傾きや机上などの凸凹を気にすることになく扱えるとともに、清掃用具を接合した。【選択図】図２
2019016331.tif 000002
【特許請求の範囲】
【請求項１】
手や腕で支持する平面板（１）を有し、マウスを平面板（１）上で操作することで、手を空中に浮かべることができ、マウスの傾きを気にすることなく扱えるマウスフォルダ。
【請求項２】
手や腕で支持する平面板（１）を有し、マウスを平面板（１）上で操作することで、机上などの凹凸の有無を気にすることなく扱えるマウスフォルダ。
【請求項３】
マウスを収納するフォルダ（７）に、マウスを使用する場合、フォルダ（７）外にスライドさせるスライド板（８）と、装着部（９）を設けたマウスフォルダ。（マウスを使用しない場合（キーボードなどを使用する場合）は、フォルダ（７）内にスライド板（８）をスライドさせ、マウスをフォルダ（７）内に収納する。）
【請求項４】
清掃用具（３）を接合したマウスフォルダ。
【発明の詳細な説明】
【技術分野】
【０００１】  この発明は、マウスを空中、または、凹凸がある面上で操作することを可能にしたマウスのフォルダ（以下、空中マウスフォルダ）に関するものである。
【背景技術】
【０００２】  従来、一般的なマウスは、マウスパッド上など、凹凸が少なく、かつ、傾斜の無い平面上に置き、操作していた。つまり、空中や、凹凸および、傾斜がある面では使用できなかった。
磁力で宙に浮かべて操作するマウスが開発されている。しかし、このマウスの目的は、マウスを宙に浮かべることで手や腕への負担を軽減することであり、宙に浮かべるために、マウスとマウスパッド間に反発する磁力を必要としている。このため、専用のマウスパッド上でのみ、使用可能である。よって、マウスの稼働範囲は限られる。
また、モップなどの机上やキーボードなどを清掃するための用具（以下、清掃用具）は、これを使用しない場合、その保管場所が必要であった。
【先行技術文献】
【特許文献】
【０００３】
【特許文献１】特開２００２−１３２４４０公報
【発明の概要】
【発明が解決しようとする課題】
【０００４】これまでは、次のような欠点があった。
（イ）起立状態でのプレゼンテーション時など、机上が使えない場合や、凹凸がある面上では、通常のマウスを操作することは困難であり、専用のマウス（特開２００２−１３２４４０公報参照）が必要であった。
（ロ）机上やキーボードなどの清掃用具は、これを使用しない場合、その保管場所が必要であった。
【課題を解決するための手段】
【０００５】［手段１］
マウスを操作する平面板（１）を、使用者の手や腕で支持させるフォルダ（２）設ける。
平面板（１）の裏側に清掃用具（３）を接合する。
本発明は、以上の構成よりなる空中マウスフォルダである。
［手段２］
開口部（４）を持つ、マウスを格納するフォルダ（５）を用意し、この内部に平面板（１）を設置する。
フォルダ（５）の底面に清掃用具（３）を接合する。
本発明は、以上の構成よりなる空中マウスフォルダである。
［手段３］
格納口（６）を持つ、マウスを格納するフォルダ（７）を用意する。これに、格納口（６）から出入りするスライド板（８）を接合する。
フォルダ（７）に使用者の腕に装着する装着部（８）を接合する。
フォルダ（７）の底面に清掃用具（３）を接合する。
本発明は、以上の構成よりなる空中マウスフォルダである。
【発明の効果】
【０００６】  ［効果１］
上記［手段２］での発明の効果を説明する。
マウスを開口部（４）からフォルダ（５）の内部に入れ、平面板（１）の上に置く。マウスを使用する場合、手を開口部（４）からフォルダ（５）の内部に入れ、平面板（１）上でマウスを操作する。このため、フォルダ（５）の内面と使用者の手の甲，各指・手のひらとマウス上部，マウス底部と平面板（１）の表面，平面板（１）の裏面とフォルダ（５）が接地面となり、マウスがフォルダ（５）内で支持される。これにより、空中で、かつ、どの向きでもマウスを操作することができ、起立状態でのプレゼンテーション時などに効果を発揮する。また、凹凸がある面上では、そこにフォルダ（５）を置けば、実質、凹凸がある面上でも、マウスを操作することができる。
また、フォルダ（５）と清掃用具（３）を一体化することで、マウスを収納したマウスフォルダの保管場所が、清掃用具（３）の保管場所となる。よって、清掃用具（３）専用の保管場所は必要でなくなる。
［効果２］
上記［手段２］での発明の効果を説明する。
マウスをスライド板（８）上に置く。スライド板（８）をフォルダ（７）から引き出すことで、マウスを使用することができる。スライド板（８）をフォルダ（７）内に収納することで、マウスがフォルダ（７）内に収まり、キーボードなどを操作することができる。
また、フォルダ（７）と清掃用具（３）を一体化することで、マウスを収納したマウスフォルダの保管場所が、清掃用具（３）の保管場所となる。よって、清掃用具（３）専用の保管場所は必要でなくなる。
【図面の簡単な説明】
【０００７】
【図１】  本発明の下記［実施形態１］の構成図である。
【図２】  本発明の下記［実施形態１］の断面図である。
【図３】  本発明の下記［実施形態２］のスライド板（８）を引き出した時の斜視図である。
【図４】  本発明の下記［実施形態２］のスライド板（８）を収納した時の斜視図である。
【図５】  本発明の下記［実施形態２］のマウス使用時の斜視図である。
【図６】  本発明の下記［実施形態２］のマウス未使用時の斜視図である。
【図７】  本発明の下記［実施形態２］の上から見た図である。
【図８】  本発明の下記［実施形態２］の下から見た図である。
【図９】  本発明の下記［実施形態２］の横から見た図である。
【発明を実施するための形態】
【０００８】  ［実施形態１］
開口部（４）を持つ、マウスを格納するフォルダ（５）を用意する。
フォルダ（５）の内部に平面板（１）を設ける。
マウスを開口部（４）からフォルダ（５）の内部に入れ、平面板（１）の上に置く。
マウスを使用する場合、手を開口部（４）からフォルダ（５）の内部に入れ、平面板（１）上でマウスを操作する。
以上が本発明の「構造例１」である。
これを使用するときは、常に、平面板（１）に接する状態になるようにマウスを持つ。これにより、フォルダ（２）を空中に持ち上げても、“リフトオフ・ディスタンス”（マウスを上げても動きを処理する距離）がキープされる状態となる。このため、空中で、かつ、どの向きでもマウスを操作することができる。また、凹凸がある面上でも、マウスを操作することができる。
［実施形態２］
格納口（６）を持つ、マウスを格納するフォルダ（７）を用意する。
フォルダ（７）内とフォルダ（７）外をスライド動作により、格納口（６）から出入りするスライド板（８）を有する。このスライド板（８）上にマウスを置く。
マウスを使用する場合は、スライド板（８）をフォルダ（７）から引き出し、スライド板（８）上でマウスを操作する。マウスを使用しない場合（キーボードを使用する場合など）は、スライド板（８）をフォルダ（７）内に格納する。
フォルダ（７）に装着部（９）を接合する。装着部（９）で、フォルダ（７）を前腕の手首に近い部位に装着する。その際、前腕を水平に上げた時に、フォルダ（７）が前腕より下になるように、装着する。
以上が本発明の「構造例２」である。
これにより、フォルダ（７）を空中に持ち上げても、手、前腕，装着部（９）とフォルダ（７）がスライド板（８）を支えるため、常にマウスがスライド板（８）に接する状態になる。
【符号の説明】
【０００９】１  平面板
２  フォルダ
３  清掃用具
４  開口部
５  フォルダ
６  格納口
７  フォルダ
８  スライド板
９  装着部
１０  マウス
１１  手と手首
【図１】
2019016331.tif 000003
【図２】
2019016331.tif 000004
【図３】
2019016331.tif 000005
【図４】
2019016331.tif 000006
【図５】
2019016331.tif 000007
【図６】
2019016331.tif 000008
【図７】
2019016331.tif 000009
【図８】
2019016331.tif 000010
【図９】
2019016331.tif 000011